【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
電源の電子放射電極は、ノズルの断面のセンターとノズルの筒の内側面の中央側にあること、長手方向は、自由な素材・形状のノズルの自由位置で自由箇所に自由数設け、交流・直流を問わず高圧・低圧印加を問わない。ノズルの中の一部途中に電子やイオンが通過可能な空間を有した以下の構成の放射装置。金属や成分に金属含む粉末・その他の安全な素材の粉末や液体を含む軟質体等・あらゆる元素の応用物質の中から目的により選択し入れる。容器に入れた液体等は薄いフィルムで一部構成・粉末は網状や表面穴あき状に構成した出入り口付のパック・カートリッジ等に粉末が漏れ出ない様設けてあるか、樹脂等に混合してノズル長手方向に中空状態に穴空け接着（塗布および個化）設置、あるいはパイプ中に中空状に固化して固定し設けてあるアルカリ性電子放射器
【請求項２】
請求項１のノズルの中の一部別途中に炭素素材ほか酸化還元剤・酸化吸収剤・太陽光エネルギー変換触媒等の放射線エネルギー変換素材の粉末を［１］と同様にパック・カートリッジ等にし粉末等やその他の材料が漏れ出無い様設けてあるか、樹脂等に混合し同様に接着あるいは固化して固定したアルカリ性電子放射器。
【請求項３】
請求項１のノズルの中の一部別途中にさらに海洋性ミネラル（珊瑚等）を同様に追加したアルカリ性電子放射器
【請求項４】
請求項２のノズルの中の一部別途中にさらに海洋性ミネラル（珊瑚等）を同様に追加したアルカリ性電子放射器
【請求項５】
ノズルの先端の筒構造（筒以外やその他も含む）が閉じられ、先端等一部の板に電子が分散・放散できる小穴を設けた請求項１等のアルカリ性電子放射器
【請求項６】
ノズルの先端の筒構造（筒以外やその他も含む）が閉じられ、先端等一部の板に電子が分散・放散できる小穴を設けた請求項２等のアルカリ性電子放射器
【請求項７】
ノズルの先端の筒構造（筒以外やその他も含む）が閉じられ、先端等一部の板に電子が分散・放散できる小穴を設けた請求項４等のアルカリ性電子放射器
【請求項８】
ノズルの先端の筒構造（筒以外やその他も含む）が閉じられ、先端等一部の板に電子が分散・放散できる小穴を設けた請求項５等のアルカリ性電子放射器
【請求項９】
ノズルの先端の筒構造（筒以外やその他も含む）が閉じられ、先端等一部の板に電子が集中できる小中穴を設けた請求項１等のアルカリ性電子放射器
【請求項１０】
ノズルの先端の筒構造（筒以外やその他も含む）が閉じられ、先端等一部の板に電子が集中できる小中穴を設けた請求項２等のアルカリ性電子放射器
【請求項１１】
ノッズルの先端の筒構造（筒以外やその他も含む）が閉じられ、先端等一部の板に電子が集中できる小中穴を設けた請求項４等のアルカリ性電子放射器
【請求項１２】
ノズルの先端の筒構造（筒以外やその他も含む）が閉じられ、先端等一部の板に電子が集中できる小中穴を設けた請求項５等のアルカリ性電子放射器
【請求項１３】
ノズルの先端の筒構造（筒以外やその他も含む）が閉じられ、先端等一部の板に電子が分散・放散できる小穴と一部に集中できる小中穴を持たせどちらか選択できるように構成した切り替えスイッチを設けた請求項１のアルカリ性電子放射器
【請求項１４】
請求項１３の記載の中の「請求項１」を「請求項２」に変更した内容のアルカリ性電子放射器
【請求項１５】
請求項１３の記載の中の「請求項１」を「請求項３」に変更した内容のアルカリ性電子放射器
【請求項１６】
請求項１３の記載の中の「請求項１」を「請求項４」に変更した内容の図１に一例のあるアルカリ性電子放射器
【請求項１７】
ノズル内にガンマー線等高周波線が発生できる構成の放射装置と放射方向を真逆にした先端を設け請求項８もしくわと請求項１６のアルカリ性電子放射器を一体に構成したガンマ線回避器（核分裂放射線回避器）
【請求項１８】
請求項１７の回避器を人体が保護できる図２６の一例のように多数連続させたガンマ線回避器
【請求項１９】
請求項１８のガンマー線回避器（核分裂放射回避器）を図２２の一例のように屋内設置型に改良構成したガンマー線回避器（核分裂放射回避器）
【請求項２０】
電子を集中できる構造の上記穴を先端に持ち電源の発する電子をそのままノズル内に流した電子放射器もしくはその他の電子放射器と放射方向を真逆にした請求項８もしくは請求項１７のアルカリ電子放射器を一体に構成した図２１に一例のある電磁波回避器
【請求項２１】
建築構造物と部品に関しおもに前記請求項１〜２０の内容を応用した実用品。一例として図３・４・５・６・８・９
【請求項２２】
家庭電器機器に関しおもに前記請求項１〜２０の内容を応用した実用品。一例として図１０・１７
【請求項２３】
調理器に関しおもに前記請求項１〜２０の内容を応用した実用品。一例として図８
【請求項２４】
家具に関しておもに前記請求項１〜２０の内容を応用した実用品。一例として図７・９・２０
【請求項２５】
清掃・殺菌装置に関しおもに前記１〜２０の内容を応用した実用品。一例として図１０
【請求項２６】
アグリカルチャー・園芸等・土壌改良装置に関しおもに前記１〜２０の内容を応用した実用品。一例として図１１
【請求項２７】
医療用設備・装置と関連品に関しおもに前記請求項１〜２０の内容を応用した実用品。一例として１２・１・１６
【請求項２８】
携帯用健康具に関し主に前記請求項１〜２０の内容を応用した実用品。一例として図１・２・１３
【請求項２９】
アルコール除去装置に関しおもに前記請求項１〜２０の内容を応用した実用品。一例として図１５．
【請求項３０】
自動車構造物と装置あるいわその付属品に関し主に前記請求項１〜２０の内容を応用した実用品。一例として図１４
【請求項３１】
食品工業生産装置と関連品に関し主に前記請求項１〜２０の内容を応用した実用品。一例として、図１８
【請求項３２】
衣料品に関し主に前記請求項１〜２０の内容を応用した実用品。一例として図１９．
【請求項３３】
衛生浄化槽の装置と関連品に関し主に前記請求項１〜２０の内容を応用した実用品。一例として図２５
【請求項３４】
水生産装置と関連品に関し主に前記請求項１〜２０の内容を応用した実用品。一例として図２９・２９
【請求項３５】
健康パイプに関し主に前記請求項１〜２０の内容を応用した実用品。一例として図３０・３１
【請求項３６】
電源先端に放射制御し放射電極にて非電離放射線を放射した後、パイプ通路の形を曲げた局部または壁を途中に構成し酸化エネルギーをパイプ外に放出できるＪＬＶＮＭＵＹＰＺ等の類似形等の自由なパイプとして放射エネルギーを通過させる構造の全ての請求項の適応かのうなアルカリ性放射器に適応したパイプ構造を設けたアルカリ性電子放射器
【請求項３７】
電離放射線を放射源とする本発明１−３５までの請求項に対応する曲部や壁をエネルギー通路に有すパイプ構造のアルカリ性電子放射器
【請求項３８】
非電離放射線を発する放射の電極（負電荷発信）付近の露出配線に断面のやや大きい通電性の良い素材で突起物を異なる方向に先端露出に設けたノイズ除去構造を持つアルカリ性電子放射器
【請求項３９】
請求項１−３５までの本発明きの要件Ｂ・Ｃ・５を使用しないで請求項３６−３８の組み合わせただけで新エネルギーを発するように構成するアルカリ性放射器
【請求項４０】
最先端の放射口に小穴を設けた表板の小穴をデザインしモーター等で自動回転機構させることにより時間的ホルミシスを可能にした単位面積小穴分散によるホルミシスのアルカリ性放射器
【請求項４１】
最先端の放射口の全体がある設定した方向に自動首フリ機能を持つ本発明の全ての請求項の仕様に設定可能のアルカリ性電子放射器やその他の従来電子放射器
【請求項４２】
外筒等の構造に穴もしくは切欠を開け、光が発電源素材中に侵入できる透明表面構造とする。素材粉体等内に電子に替える光触媒を混入させ電子を増生可能な原理構成とするアルカリ電子放射装置。
【請求項４３】
β電子等のアルカリ電子放射線において発生電子を反発させる他の電子発生源と一部見立て仕切部を設け素材の別部屋として装置内を別けて作用させたアルカリ電子放射装置（別けない混入の場合も含む）。
【請求項４４】
電磁波の電子を他の電子発生源を装置外部に設けて（光・風力・金属収縮力・交流・人腕回転力等）エネルギーを利用した反発と電磁波の放射線比を少なくする構成にしたアルカリ性電子発生器。
【請求項４５】
電子発生器において電子発生後放射出口面または、筒ケース等の電子誘導通路の末端出口までの外形をエネルギー進行方向に断面積を拡げる様にホーン形としたアルカリ電子放射器。
【請求項４６】
アルカリ電子放射器において、筒ケース等の出口末端から放射して後の空中放射において進行方向に広がるホーン形状にした構成としたアルカリ電子保護機構付アルカリ電子放射装置。
【請求項４７】
電子放射器においてその筒等ケースを密閉するとともに必要なエネルギー場所で一部穴を開けて任意の方向位置を自由に定めて効力を抽出できる穴開缶状の構造を持つアルカリ性電子放射器。
【請求項４８】
筒等ケース内に配線により電子発生させる機構において配線被覆の一部を折り曲げて一定の方向に向け先端を一部内線金属部を露出させ電子放電させ壁（ケース本体）に電子電磁波を当て電子飛部分が逆方向に飛帰り逆面壁から飛出る原理で非電離放射線から電子を一定方向に取り出すアルカリ電子放射線の生産方法。
【請求項４９】
人体に必要な成分の有機高分子やミネラル・ビタミン等や混合成分等の物質に還元性電子エネルギーを照射放射して分子を小さくした単位有機イオン主体成分のコロイド・水溶液としてジエル・製薬調剤等を産創する方法。
【請求項５０】
請求項４９においての方法で構成するアルカリ性電子放射器の装置として日常生活品（電気製品等や装寝具等）や装身装着品に付属の形としてアルカリ性電子発生器やその部品を装置し（かく拌等も備える）反応器具として備えた人や動物・植物の生体に有効な補助補給物製造器と注入器。
【請求項５１】
請求項５０の応用を身装美装品に応用した補助補給物製造器の機能を合わせ持つ健康増進装着装置。
【請求項５２】
アルカリ電子発生物で構成附属させ人体表皮より電子を照射（還元性電子で）人体の脂肪・コレステロール等を有機単体イオンに改質して消去できる体表巻物・専用カプセル・エステ用具や構造物。
【請求項５３】
水以外大きな細菌・ウイルスを通過できない膜を備えた膜浄水パイプケース内流水管にアルカリ性電子発生器を組み込んだ浄水製造器。
【請求項５４】
血液中に活性水素を発生させる電子方向逆向製抑装置を一部に設けた電子発生装置。
【請求項５５】
電子発生装置の一部に冷却装置を設けたアルカリ電子放射器。
【請求項５６】
電子発生装置の一部に電磁石を備えたアルカリ電子放射器。
【請求項５７】
通電の被覆樹脂等の素材として１種類以上の粉体を均質に混合したアルカリ性電子放射発生電線。
【請求項５８】
通電の被覆樹脂等の素材の表面層として酸化還元の吸収剤や光を電子に変換できる触媒を混入した電線。
【請求項５９】
頭の曲線面等に合ったカプセル等の外殻ケース等を持ち内側表面に電子通過（水分子を通さない）レベルの微小穴を付した膜を備えた毛根組織用もしくは脳活性用のアルカリ性放射装置。
【請求項６０】
新規電子エネルギーの生産方法
アルカリ性電子とする為、電磁波の先端電子の電子比を増すが放射線部の酸化部を除去する考え方にもとずき、電子部の量比を多くしたアルカリ性の電子エネルギー（放射毒除去）（酸化部を吸着剤その他で取りのぞき放射（照射）出口にて再度取りのぞく形の構成など様々にできる）
〔本発明は日本における２００６年１２・１４出願（含有）内容である。〕
【請求項６１】
非電離・電離放射線の先端放射口付近に電磁石を構成させ、磁力線にレーザー等を当てる構造の請求項６０に基づくアルカリ（放射）性電子発生器。
【請求項６２】
電離放射線もしくは、非電離・電離混合放射線において放射器本体の一部にコーナーを設けＬ．Ｔ．Ｖ．Ｊなどの放射線が壁部で電子と分離して外にぬける構造のアルカリ性電子発生器。
【請求項６３】
人体等（動植物含む）の深部に侵入できる電子である小数電子を多数散布する為の水を通さないレベルの膜を先端出口に設けた放射器としてのアルカリ性電子発生器。
【請求項６４】
タイマーと撹拌機トリガーを駆動アクチェーターで作動可能ならしめたアルカリ性電子放射装置。（図５６）
【請求項６５】
金属精錬に関して設備の一部にアルカリ性電子放射器を設けたパケットやら設備（電離放射線・非電離の両方可能で鉛箱等吸収設備も必要システム）。
【請求項６６】
放射線を吸収する鉛等の箱等の吸収除去可能に備えたアルカリ性電子放射器（全ての発生器に応用可能である）電子通路の曲部に壁と密着する様に設置したか、別に設けてシステムとした処理設備一体のアルカリ性電子放射器。
【請求項６７】
ＣＯ２削減等環境改善のアルカリ性電子放射線を得るとき電離放射線等から分離した放射線を吸収する吸収鉛箱を車等に一体にし着脱自在に構成した大型キャンピングカー等移設体及びシステム化もできるアルカリ性電子放射器。（図５９）
【請求項６８】
粉末剤を混入拡販する為の設備の一部混練中に放射させる様に設定されたアルカリ性電子放射装置。
【請求項６９】
金属成型器（製造器）の流入前の金属もしくは成型中の金属にアルカリ性電子を放射して成形可能な鋳造機器（成形直後も含む）。
【請求項７０】
樹脂成型器（製造器）の流入前の樹脂もしくは成型中の樹脂もしくは成型直後の樹脂にアルカリ性電子を放射して成形可能な樹脂成型器。
【請求項７１】
エンジンの一部で燃焼室にエネルギーを送り込める位置にアルカリ性電子放射装置を備えたエンジン組織（システム）の車。
【請求項７２】
医療的映写システムにおいて放射線を使う機器の放射線をアルカリ性電子放射器で除去した医療安全映写システム。
【請求項７３】
医療器具において放射線を使う機器の放射線をアルカリ性電子放射器で除去する様備えた医療ナイフ等の医療器具。
【請求項７４】
指輪等（身装美装品等）装着用品においてジェル等の薬品等を装置内の一部に設けたシートにぬるときに体内吸収によりシート（膜に穴が付いている）が体表に押圧できるバネ・ゴム等反発材を付属したシートや反発シート。
【請求項７５】
人体の検査器具や調査装置において放射線（広義）エネルギーの替わりにアルカリ性電子放射線を備えたシステム装置。
【請求項７６】
電磁波発信機の一部にアルカリ電子放射器を一体にもつ発信器（受信器も含む）。
【請求項７７】
送配線設備で一体にアルカリ電子放射器を備えた鉄塔等電磁波漏出設備。
【請求項７８】
内視鏡に一体にアルカリ電子放射器を治療設備として設けた治療器付内視鏡。
本請求項は前出願に関連追加部分として出願するものが中心であるが、全く新規の別発想のものも含まれるが、関係付けてその先の請求項にプラス混合できるものも全てが対称となる。
又、基本的請求６０など単独となって全てに関与するものも２〜３ある。全くの新規事項と言える。
【請求項７９】
電磁波としてレーザー等を用いて高周波の放射線をできるだけ吸収除去するか、他の電磁波を共存させる等により放射線を低周波化して吸収する等でアルカリ性電子放射器とした発明の機器。
【請求項８０】
特願２００６、１２、１４の請求項１・２・３６の先端の筒構造を閉じないで成すアルカリ性電子放射器。（出願番号          ）
【請求項８１】
請求項８０に４５・４６、および２００６、１２、１４出願分請求項１３、１４、１５に関連請求項を含めた請求項を組み合わせた請求項。
その他関連請求項を持ち組み合わせた請求項で成すアルカリ性電子放射器。
【請求項８２】
測定器に酸化・アルカリ化の電子電磁波を照射できてそのアルカリ性材質・酸性材質を確認しながら製造できる生産器や測定器（電子放射測定器）。
【請求項８３】
資料を肉眼で確認しながらアルカリ化できる付属のアルカリ性電子放射器・酸性電子放射器を付属の顕微鏡（電子）。
【請求項８４】
電磁波反射器、太陽光からや宇宙から来る様々な電磁波に対向し人工的電磁波に対向も選択できる対向自主変向可能な消滅対応アルカリ性（酸性）電子放射器。
【請求項８５】
体内を確認できる映像器で照射場所をほぼ限定でき照射中も変化を見ながら照射移動を施術受行人本人ができるアルカリ性電子放射器。
【請求項８６】
再生医療などでアルカリ環境で細胞分裂の時間を短縮できるアルカリ性電子放射器分裂促進器。
【請求項８７】
アルカリ性放射器先端に取付可能なジエル等コロイド・水溶性物を取付可能・取はずし可能な嵌合ジエルサンドパック（使いすて用）。
【請求項８８】
請求項８７のパックを中味交換可能とした嵌合ジエルサンドパックつめ替用タイプ。
【請求項８９】
人成長ホルモンの不足等による子供の発達障害・広汎性発達障害（ＷＨＯ国際疾病分類：要治療）に対する人成長に関する作用と代謝をコントロールする作用の脳下垂体から分泌される１９１個のアミノ酸からなる単鎖の蛋白ホルモンを分解なくするための自己注射方法に替えて自己皮膚照射注入法を実施できる《先端面（アルカリ性電子放射器）の表面に殺菌（日光）できる面や薬剤の多孔穴付スポンジを固定する平口を成形した形状の》安全吸収可能なアルカリ性電子放射器。
【請求項９０】
人工透析に代替できる注射、吸い上げ注射の無い電気分解としての除水効果が発生するとともに真皮下活性化で不浄物等血液中の腎臓から排出されるべき有毒物を除去する機器の微細アルカリ電子放射線発生器（Ｌ字型二重時間差発生放射式で電離放射線を使う場合も有る。）
【請求項９１】
電子放射のパイプ等通路内に電子発生素材（半導体・磁性物質等・密度の高い金属など）を固化したり粉体の壁としたりして電子を当てるようにした放射器
【請求項９２】
ＡＥＤ装置によるショック電医とほぼ同時に遅れた本装置により還元する事により安全ＡＥＤ装置を実現させ、常時健康器として利用できる、アルカリ性電子ＡＥＤ装置
【請求項９３】
低温殺菌による牛乳飲料生産に本件アルカリ電子殺菌装置を利用することで常温内での殺菌可能とする。
【請求項９４】
電子誘導通路の端末出口までの外形を先端方向に口細型（チューリップ型・ブランデーグラス及びワイングラス型・ホーン型など）にしたアルカリ性電子発生器（図８５）
【請求項９５】
ノズルの中の一部途中に電子やイオンが通過可能な空間・等を有したアルカリ性電子放射器
【請求項９６】
ノズルの一部に蒸気発生装置又は水分保留部分等設備する水素発生装置（源電としてのアルカリ性電子放射器にサンゴ粉末等を使った）（水分は空気中にあるのでなしでも可能である）
【請求項９７】
ノズルの一部に蒸気発生装置又は水分保留部分を設備する
2011101803.tif 000001
水素発生装置